(57)【要約】【課題】消臭効果の持続性を向上させた抗菌消臭剤組成物を提供する。【解決手段】一般式（ａ１）で表される特定のＰＯ・ＥＯ付加化合物（ａ）、及び第４級アンモニウム型抗菌剤（ｂ）、水溶性ポリカルボン酸（ｃ）、水を含有する抗菌消臭剤組成物。【選択図】なし【特許請求の範囲】
【請求項１】
下記一般式（ａ１）で表される化合物（ａ）及び第４級アンモニウム型抗菌剤（ｂ）、水溶性ポリカルボン酸（ｃ）及び水を含有し、（ａ）成分と（ｃ）成分の質量比が（ａ）成分の質量／（ｃ）成分の質量＝５０／１〜１／１０である抗菌消臭剤組成物。
Ｒ1a−Ｙ−［（ＰＯ）m／（ＥＯ）n］−Ｈ        （ａ１）
〔式中、Ｒ1aは炭素数１４〜２２の炭化水素基であり、ＰＯはＣ3Ｈ6Ｏを示し、ＥＯはＣ2Ｈ4Ｏを示し、ｍ及びｎはそれぞれ平均付加モル数を示し、ｍは３〜１００、ｎは１〜１０の数であり、（ＰＯ）と（ＥＯ）はランダム付加でもブロック付加でもいずれでもよく、（ＰＯ）と（ＥＯ）の付加順序は問わない。Ｙは、−Ｏ−、−ＣＯＯ−、−ＣＯＮＨ−又は−ＮＨＣＯ−のいずれかである。〕
【請求項２】
第４級アンモニウム型抗菌剤（ｂ）が、下記一般式（ｂ１）〜（ｂ３）で表される化合物から選ばれる１種以上である、請求項１に記載の抗菌消臭剤組成物。
【化１】
2009153788.tif 000008
（式中、Ｒ1b及びＲ7bは、炭素数８〜１６の炭化水素基であり、Ｒ2b、Ｒ3bは、炭素数１〜３のアルキル基又はヒドロキシアルキル基であり、Ｒ4b、Ｒ5bは、炭素数１〜６のアルキレン基又は−（Ｏ−Ｒ6b）k−である。Ｒ6bは、エチレン基又はプロピレン基であり、ｋは１〜１０の数であり、Ｘは、−ＣＯＯ−、−ＯＣＯ−、−ＣＯＮＨ−、−ＮＨＣＯ−、又はフェニレン基であり、ｐは０又は１の数である。Ｒ8b〜Ｒ11bは、これらの内２つ以上は炭素数８〜１２のアルキル基であり、残りが炭素数１〜３のアルキル基である。Ｚ-は陰イオン基である。）
【発明の詳細な説明】
【技術分野】
【０００１】
本発明は、抗菌消臭剤組成物に関する。
【背景技術】
【０００２】
洗濯習慣の変化により、着用した衣料はその都度洗濯することが一般的になっているが、スーツやセーター等の衣料は一般家庭では洗濯が難しく、洗濯回数も一般の衣料に比べて格段に少ない。このため、体臭（汗・皮脂臭）が蓄積し、不快感を生じさせる。また、絨毯や玄関マット等も同様に洗濯することが難しく、部分的な汚れに由来する不快臭の問題がある。不快臭の主な原因は、菌による汗・皮脂などの分解と考えられており、菌の増殖を抑制することで不快臭を抑制することができる。
【０００３】
例えば、特許文献１には、陽イオン性界面活性剤又は両性界面活性剤とキレート剤を併用することにより，汗臭やタバコ臭を消臭する液体消臭剤が開示され、特許文献２には，香料等の消臭基剤と陽イオン界面活性剤と特定の溶剤を併用することにより，汗臭を消臭する液体消臭剤が開示されている。特許文献３には、植物からの抽出物を主成分とする消臭基材、香料、エタノール及び界面活性剤を併用することにより、腐敗臭を抑制する消臭剤組成物が開示され、特許文献４には、ベタイン型両性化合物、非イオン性界面活性剤、及び陰イオン界面活性剤からなる処理剤で処理することにより、アンモニア臭等を消臭しうる消臭性繊維が開示されている。特許文献５には、有機二塩基酸又はその塩により、酢酸、イソ吉草酸等の低級脂肪酸類やアンモニア、トリメチルアミン等のアミン類等を消臭できることが開示されている。
【０００４】
【特許文献１】特開２００１−４０５８１号公報
【特許文献２】特開２００１−７０４２３号公報
【特許文献３】特開２００１−１７８８０６号公報
【特許文献４】特開２００４−１７６２２５号公報
【特許文献５】特開２００１−９５９０７号公報
【発明の開示】
【発明が解決しようとする課題】
【０００５】
しかしながら、衣類・布製品などにあらかじめスプレーして用いられる、不快臭の発生を抑制する第４級アンモニウム型抗菌剤を配合した抗菌消臭剤については、抗菌効果持続性の更なる向上が望まれる。
【０００６】
本発明は、抗菌効果の持続性を向上させ、ひいては消臭効果の持続性に優れる抗菌消臭剤組成物を提供することを課題とする。
【課題を解決するための手段】
【０００７】
本発明は、下記一般式（ａ１）で表される化合物（ａ）〔以下、（ａ）成分という〕及び第４級アンモニウム型抗菌剤（ｂ）〔以下、（ｂ）成分という〕、水溶性ポリカルボン酸（ｃ）〔以下、（ｃ）成分という〕及び水を含有し、（ａ）成分と（ｃ）成分の質量比が（ａ）成分の質量／（ｃ）成分の質量＝５０／１〜１／１０である抗菌消臭剤組成物に関する。
Ｒ1a−Ｙ−［（ＰＯ）m／（ＥＯ）n］−Ｈ        （ａ１）
〔式中、Ｒ1aは炭素数１４〜２２の炭化水素基であり、ＰＯはＣ3Ｈ6Ｏを示し、ＥＯはＣ2Ｈ4Ｏを示し、ｍ及びｎはそれぞれ平均付加モル数を示し、ｍは３〜１００、ｎは１〜１０の数であり、（ＰＯ）と（ＥＯ）はランダム付加でもブロック付加でもいずれでもよく、（ＰＯ）と（ＥＯ）の付加順序は問わない。Ｙは、−Ｏ−、−ＣＯＯ−、−ＣＯＮＨ−又は−ＮＨＣＯ−のいずれかである。〕
【発明の効果】
【０００８】
本発明によれば、繊維製品に対する抗菌効果が向上した抗菌消臭剤組成物が提供される。本発明の抗菌消臭剤組成物は、衣料、布製品などに、スプレー等で適用することにより、不快臭の発生を抑制することができる。また、本発明の抗菌消臭剤組成物は、液状組成物、特に水系組成物として調製も容易である。
【発明を実施するための最良の形態】
【０００９】
＜（ａ）成分＞
（ａ）成分の一般式（ａ１）において、Ｒ1aは炭素数１４〜２２の炭化水素基であり、好ましくは炭素数１６〜２０、より好ましくは１６〜１８のアルキル基又はアルケニル基であり、更に好ましくは、炭素数１６〜１８のアルキル基である。また、プロピレンオキサイド（Ｃ3Ｈ6Ｏ基、以下、ＰＯと表記する場合もある）の平均付加モル数であるｍは３〜１００、好ましくは３〜６０、より好ましくは１０〜６０の数であり、エチレンオキサイド（Ｃ2Ｈ4Ｏ基、以下、ＥＯと表記する場合もある）の平均付加モル数であるｎは１〜１０、好ましくは１〜９、より好ましくは１〜８の数であり、ＰＯとＥＯのモル比ｍ／ｎは好ましくは３〜１２、より好ましくは４〜１０である。Ｙは、より好ましくは−Ｏ−又は−ＣＯＯ−であり、更に好ましくは−Ｏ−であり、（ＰＯ）と（ＥＯ）は、ランダム付加でもブロック付加でもよく、（ＰＯ）と（ＥＯ）の付加順序は問わないが、好ましくはブロック付加であり、中でも下記一般式（ａ２）（式中のＲ1a、ｍ、ｎは前記と同じ）で表される化合物がより好ましい。なお、ＰＯ、ＥＯの平均付加モル数はＮＭＲにより求めることができる。
Ｒ1a−Ｏ−（ＰＯ）m−（ＥＯ）n−Ｈ    （ａ２）
【００１０】
＜（ｂ）成分＞
本発明の（ｂ）成分は、第４級アンモニウム型抗菌剤である。
本発明に用いられる（ｂ）成分としては、下記一般式（ｂ１）〜（ｂ３）で表される化合物から選ばれる１種以上が好適である。
【００１１】
【化２】
2009153788.tif 000002
【００１２】
（式中、Ｒ1b及びＲ7bは、炭素数８〜１６の炭化水素基であり、Ｒ2b、Ｒ3bは、炭素数１〜３のアルキル基又はヒドロキシアルキル基であり、Ｒ4b、Ｒ5bは、炭素数１〜６のアルキレン基又は−（Ｏ−Ｒ6b）k−である。Ｒ6bは、エチレン基又はプロピレン基であり、ｋは１〜１０の数であり、Ｘは、−ＣＯＯ−、−ＯＣＯ−、−ＣＯＮＨ−、−ＮＨＣＯ−、又はフェニレン基であり、ｐは０又は１の数である。Ｒ8b〜Ｒ11bは、これらの内２つ以上は炭素数８〜１２のアルキル基であり、残りが炭素数１〜３のアルキル基である。Ｚ-は陰イオン基である。）
【００１３】
Ｒ1b及びＲ7bは、好ましくは炭素数８〜１６、より好ましくは炭素数８〜１４のアルキル基又はヒドロキシアルキル基であり、Ｒ4bは、好ましくは炭素数１〜３のアルキレン基であり、（Ｘ−Ｒ5b）は、好ましくは（Ｏ−ＣＨ2ＣＨ2）である。
【００１４】
Ｚ-は無機酸又は有機酸に由来する陰イオンであり、好ましくはハロゲンイオン、硫酸イオン、リン酸イオン、炭素数１〜３のアルキル硫酸エステルイオン、又は炭素数１〜１２の脂肪酸イオンである。これらの中では、塩素イオン等のハロゲンイオン、硫酸イオン、炭素数１〜３のアルキル硫酸エステルイオンがより好ましく、塩素イオンが特に好ましい。
【００１５】
本発明では、前記化合物の中でも特に一般式（ｂ１）又は（ｂ３）で表される化合物が好ましい。また、最も好ましいものとして下記式（ｂ４）〜（ｂ７）で表される化合物から選ばれる１種以上を挙げることができる。
【００１６】
【化３】
2009153788.tif 000003
【００１７】
〔式中、Ｒ12bは、炭素数８〜１６、好ましくは炭素数１０〜１４のアルキル基である。〕
上記式（ｂ４）の好適例としては、塩化ベンザルコニウム等が挙げられる。
【００１８】
【化４】
2009153788.tif 000004
【００１９】
〔式中、Ｒ13bは、直鎖状又は分岐鎖状の炭素数６〜１２のアルキル基、好ましくは分岐鎖状の炭素数７〜１０のアルキル基であり、ｅは１〜５、好ましくは１〜３の数である。〕
上記式（ｂ５）の好適例としては、Ｒ13bが（ＣＨ3）3ＣＣＨ2Ｃ（ＣＨ3）2であり、ｅが２である化合物等が挙げられる。
【００２０】
【化５】
2009153788.tif 000005
【００２１】
〔式中、Ｒ14bは、炭素数１０〜１４のアルキル基である。〕
上記式（ｂ６）の好適例としては、Ｎ−ドデシルピリジン等が挙げられる。
【００２２】
【化６】
2009153788.tif 000006
【００２３】
〔式中、Ｒ15b及びＲ16bは、炭素数８〜１２のアルキル基である。〕
上記式（ｂ７）の好適例としては、ジデシルジメチルアンモニウムクロリド等が挙げられる。
【００２４】
＜（ｃ）成分＞
本発明の（ｃ）成分である水溶性ポリカルボン酸は、（ａ）成分、（ｂ）成分および水と共に水和ゲルを形成可能なものが好ましく、たとえばクエン酸、シュウ酸、マレイン酸、マロン酸、２−メチルマロン酸、２−エチルマロン酸、２−イソプロピルマロン酸、２，２−ジメチルマロン酸、２−エチル−２−メチルマロン酸、２，２−ジエチルマロン酸、２，２−ジイソプロピルマロン酸、１，２−シクロヘキサンジカルボン酸、１，２−シクロペンタンジカルボン酸、１，２−シクロオクタンジカルボン酸、１，２−シクロヘプタンジカルボン酸、コハク酸、フェニルコハク酸、２，３−ジメチルコハク酸、２，３−ジエチルコハク酸、２−エチル−３−メチルコハク酸、テトラメチルコハク酸、２，３−ジ−ｔ−ブチルコハク酸、３，３−ジメチルグルタル酸、３，３−ジエチルグルタル酸、３−イソプロピル−３−メチルグルタル酸、３−ｔ−ブチル−３−メチルグルタル酸、３，３−ジイソプロピルグルタル酸、３−メチル−３−エチルグルタル酸、３，３−ジプロピルグルタル酸、２−エチル−２−（１−エチルプロピル）グルタル酸、シクロヘキシル−１，１−ジ酢酸、２−メチルシクロヘキシル−１，１−ジ酢酸、シクロペンチル−１，１−ジ酢酸、３−メチル−３−フェニルグルタル酸、３−エチル−３−フェニルグルタル酸等が挙げられる。（ｃ）成分としては、クエン酸、コハク酸、マロン酸が好ましく、より好ましくはクエン酸である。
【００２５】
（ｃ）成分について、「水溶性」とは、２５℃のイオン交換水に１０質量％以上溶解することをいう。また、（ｃ）成分の分子量は５０〜３００であることが好ましい。
【００２６】
＜抗菌消臭剤組成物＞
本発明の抗菌消臭剤組成物は、（ａ）成分、（ｂ）成分及び（ｃ）成分を配合して成る組成物である。
【００２７】
本発明の抗菌消臭剤組成物中の（ａ）成分、（ｂ）成分及び（ｃ）成分の含有量は、消臭する悪臭の濃度、使用形態、繊維製品の種類によって適宜調整することができる。
【００２８】
（ａ）成分の組成物中の含有量は、通常０．０１質量％以上、好ましくは０．０１〜１０質量％、より好ましくは０．０１〜８質量％、更に好ましくは０．０１〜５質量％、更に好ましくは０．０１〜３質量％、特に好ましくは０．０１〜２質量％である。
【００２９】
（ｂ）成分の組成物中の含有量は、通常０．０１質量％以上、好ましくは０．０１〜１０質量％、より好ましくは０．０１〜８質量％、更に好ましくは０．０１〜５質量％、更に好ましくは０．０１〜３質量％、特に好ましくは０．０１〜２質量％である。
【００３０】
（ａ）成分及び（ｂ）成分の効果を更に高めるうえで（ａ）成分、及び（ｂ）成分の配合比率は、（ａ）／（ｂ）の質量比で、好ましくは１０／１〜１／１０、より好ましくは８／１〜１／８、更に好ましくは５／１〜１／５、更に好ましくは４／１〜１／４、特に好ましくは３／１〜１／３である。
【００３１】
本発明の（ｃ）成分は、組成物のｐＨにより、組成物中で酸型もしくは解離型で存在しているものと考えられるが、（ｃ）成分の組成物中の含有量は便宜上酸型に換算した量として特定できる。
（ｃ）成分の組成物中の含有量は、通常０．００５質量％以上、好ましくは０．００５〜５質量％、より好ましくは０．００８〜４質量％、更に好ましくは０．０１〜３質量％、更に好ましくは０．０１〜２質量％、特に好ましくは０．０１〜１質量％である。
【００３２】
本発明の抗菌消臭剤組成物によって処理された繊維製品において、消臭力の持続性を高める上で、（ａ）成分、（ｃ）成分の配合比率は、（ａ）成分と（ｃ）成分の質量比が、（ａ）成分の質量／（ｃ）成分質量として、５０／１〜１／１０であり、好ましくは２０／１〜１／２、より好ましくは１０／１〜１／１、更に好ましくは８／１〜１／１、更に好ましくは６／１〜１／１、特に好ましくは５／１〜２／１である。
【００３３】
本発明の抗菌消臭剤組成物において、（ａ）成分、（ｂ）成分、（ｃ）成分以外の残部は水とすることができる。また必要に応じて、本発明の効果を損なわない範囲で、更に、界面活性剤、多価アルコール、他の消臭剤、及び一般に添加される各種の溶剤、ゲル化剤、硫酸ナトリウムやＮ，Ｎ，Ｎ−トリメチルグリシン等の塩、ｐＨ調整剤、酸化防止剤、防腐剤、他の殺菌・抗菌剤、香料、色素、紫外線吸収剤等の他の成分を添加することができる。
【００３４】
界面活性剤としては、特に制限はなく、非イオン性界面活性剤、（ｂ）成分以外の陽イオン性界面活性剤、陰イオン性界面活性剤、及び両性界面活性剤の中から選ばれる１種種以上が挙げられる。これらの中では、非イオン性界面活性剤が好ましく、下記一般式（ｄ１）で表される化合物が、抗菌消臭性能の点から、特に好ましい。
Ｒ1d−Ｚ’−［（ＥＯ）s／（ＰＯ）t］−Ｒ2d        （ｄ１）
〔式（３）中、Ｒ1dは、炭素数１０〜２２のアルキル基又はアルケニル基であり、Ｒ2dは、水素原子、又は炭素数１〜３のアルキル基であり、Ｚ’は−Ｏ−又は−ＣＯＯ−のいずれかであり、ＥＯは、オキシエチレン基であり、ＰＯはオキシプロピレン基であり、（ＥＯ）と（ＰＯ）はランダム付加でもブロック付加でもいずれでもよく、（ＥＯ）と（ＰＯ）の付加順序は問わない。ｓ及びｔは平均付加モル数であり、ｓ＋ｔの合計は５〜１５の数であり、ｔは２以下の数である。〕
【００３５】
消臭性能向上の観点から、一般式（ｄ１）で表される化合物のＲ1dは、好ましくは炭素数１０〜１８、より好ましくは炭素数１０〜１６、更に好ましくは炭素数１０〜１４のアルキル基又はアルケニル基であり、Ｒ2dは、好ましくは水素原子、又は炭素数１〜２のアルキル基、より好ましくは水素原子又はメチル基、更に好ましくは水素原子である。
【００３６】
また、一般式（ｄ１）のｓは、好ましくは５〜１４の数、より好ましくは５〜１３、更に好ましくは５〜１２であり、ｔは好ましくは０である。一般式（ｄ１）で表される化合物としては、ポリオキシエチレン（ｎ＝６〜１２）ラウリルエーテル、ポリオキシエチレン（ｎ＝５〜１２）モノアルキル（炭素数１２〜１４の２級の炭化水素基）エーテル、ラウリン酸ポリオキシチレン（ｎ＝６〜１３）メチルエーテルから選ばれる１種以上が特に好ましい。ここで、ｎはオキシエチレン基の平均付加モル数である。
【００３７】
溶剤としては、エタノール、イソプロパノール等の低級（炭素数３〜４）アルコール類、エチレングリコール、プロピレングリコール、グリセリン、ソルビトール等の多価アルコール類（炭素数２〜１２）、エチレングリコールやプロピレングリコールのモノエチル又はモノブチルエーテル、ジエチレングリコールやジプロピレングリコールのモノエチル又はモノブチルエーテル、ベンジルアルコール、ベンジルオキシエタノール、フェノール性化合物のエチレンオキシド又はプロピレンオキシド付加物等が挙げられる。
【００３８】
本発明の抗菌消臭剤組成物の２５℃におけるｐＨは６〜９．５に調整することが好ましい。充分な消臭効果、及び皮膚刺激低減の観点から、ｐＨは６．５〜９．５が好ましく、６．８〜９が更に好ましい。
【００３９】
本発明の抗菌消臭剤組成物のｐＨは、塩酸、硫酸、硝酸、リン酸、ホウ酸、炭酸等の酸、又は水酸化ナトリウム、水酸化カリウム、水酸化マグネシウム、水酸化カルシウム、リン酸２水素ナトリウム、モノエタノールアミン、ジエタノールアミン、トリエタノールアミン、メチルエタノールアミン、ジメチルエタノールアミン等のアルカリを添加することにより調整することができる。なお、（ｃ）成分のクエン酸、コハク酸等の水溶性ポリカルボン酸がｐＨ調整に寄与していてもよい。
【００４０】
本発明の抗菌消臭剤組成物の使用形態は、液状、ゲル状、粉状、粒状等の固体状とすることができる。液状の場合には、特にスプレー、ローション等として繊維製品に用いることができる。本発明の抗菌消臭剤組成物は、特に液状、更に水系組成物としてミストタイプのスプレー容器に充填し、一回の噴霧量を０．１〜１ｍｌに調整したものが好ましい。使用するスプレー容器としては、トリガースプレー容器（直圧あるいは蓄圧型）やディスペンサータイプのポンプスプレー容器等の公知のスプレー容器を用いることができる。すなわち、本発明では、本発明の抗菌消臭剤組成物、特に液状の抗菌消臭剤組成物をスプレー容器に充填してなるスプレー式抗菌消臭剤を得ることができる。本発明の組成物は、噴霧により繊維製品に付着させて、対象物の菌の増殖を抑制させることが好ましく、前記スプレー式抗菌消臭剤はこの方法に好適に用いられる。繊維製品としては、スーツ、セーター等の衣類、カーテン、ソファー等が挙げられる。
【００４１】
本発明の抗菌消臭剤組成物によって発現される効果の作用機構は充分に解明されている訳ではないが、以下のように推定できる。
【００４２】
本発明の効果は、（ａ）成分、（ｂ）成分、（ｃ）成分および水を含有する組成物において、（ａ）成分と（ｃ）成分を特定の質量比で用いることで発現する。本発明者らは、本発明の（ａ）成分が、水溶液中において、（ｃ）成分との間で水和ゲルを形成することを見出した。この性質が何らかの形で（ｂ）成分及び水を含有する本発明の組成物の性能向上に寄与しているものと考えられる。すなわち、本発明では、（ａ）成分と（ｃ）成分を特定の質量比で含有することで、抗菌性能、消臭性能を有する（ｂ）成分が、（ａ）成分、（ｃ）成分と共に、処理された繊維製品の繊維表面を被覆し、繊維表面に吸着している臭気成分の揮散を抑制し、吸着した（ｂ）成分による抗菌性能、消臭性能がより効率よく発揮され、長時間にわたり抗菌効果を持続することができるものと考えられる。
【００４３】
通常、臭気成分はスーツ、セーター、カーテン、ソファー等の繊維製品等の繊維表面や固体表面に付着するが、本発明では（ａ）成分の繊維表面や固体表面への滞留が適切となり、固体表面に付着した臭気成分の揮発を抑制するばかりでなく、消臭成分である（ｂ）成分を安定に分散させ、繊維製品等に対する接触性を向上させて、消臭性能を更に高めることができるものと推察される。
【実施例】
【００４４】
実施例１〜３及び比較例１〜２
＜消臭剤組成物の調製＞
表１に示す配合処方の抗菌消臭剤組成物を調製した。なお、非イオン性界面活性剤としては、炭素数１２の直鎖第１級アルコールにエチレンオキサイドを平均９モル付加させたものを使用し、抗菌剤としてはプロキセルＢＤＮ（アビシア株式会社製、１０％水溶液）を使用し、香料としては、ケイ皮酸エチル５質量部、酢酸リナリル１０質量部、リラール１５質量部、ヘキシルシンナミックアルデヒド１０質量部、パーライド１０質量部、フェニルエチルアルデヒド２０質量部、セダーアルコール１０質量部、及びリモネン２０質量部からなる調合香料を使用し、得られた組成物は、１規定の塩酸又は１／１０規定の水酸化ナトリウム水溶液でｐＨ８（２５℃）に調整した。表１中の記号の成分は下記のとおりである。
【００４５】
（ａ）成分
・ａ−１：一般式（ａ２）中のＲ1aが炭素数１８の直鎖アルキル基、ｍが３８、ｎが６の数である化合物
・ａ−２：一般式（ａ１）中のＲ1aが炭素数１８の直鎖アルキル基、Ｙが−Ｏ−、ｍが３８、ｎが６の数であり、Ｒ1a−Ｙ−に（ＥＯ）と（ＰＯ）が順にブロック付加した化合物〔Ｒ1a−Ｙ−（ＥＯ）n−（ＰＯ）m−Ｈの化合物〕
・ａ−３：一般式（ａ１）中のＲ1aが炭素数１８の直鎖アルキル基、Ｙが−Ｏ−、ｍが３０、ｎが５の数であり、（ＰＯ）と（ＥＯ）がランダム付加である化合物
【００４６】
（ｂ）成分
・ｂ−１：塩化ベンザルコニウム
・ｂ−２：ジデシルジメチルアンモニウムクロリド
【００４７】
（ｃ）成分
・ｃ−１：クエン酸
【００４８】
＜消臭効果＞
（１）消臭対象物の調製
３０歳代の男性３人に、市販綿１００％肌着を運動時に着用（夏季、１日間）してもらった後、回収した。皮膚接触部位から、前４枚、後ろ４枚ずつ切断（１０ｃｍ×１０ｃｍ）し、試験片とした。なお、同一披験者から得た試験片は、切断部位による、付着臭気や汚れの違いはないことを確認した。
【００４９】
（２）消臭持続性評価方法
上記方法にて得た試験片に、表１に示す配合処方の抗菌消臭剤組成物をスプレーバイアル（株式会社マルエム、Ｎｏ．６）を用いて６回スプレーした。それらの試験片をチャック付ビニール袋に入れ密封し、４０℃−８０％ＲＨで１日静置した。
【００５０】
（３）消臭性能評価
同一披験者から得た試験片計８枚を使用して実施例と比較例計５種の評価を行った。また、披験者３名より試験片を作成したので、実施例、比較例につき、各３回の評価を行った。３０歳代の男性５人及び女性５人の計１０人のパネラーに、４０℃−８０％ＲＨに保存しておいた試験片を入れたビニール袋を開けて試験片の臭いを嗅いでもらい、不快臭に対する臭気強度を下記の６段階で評価し、その平均値を求めた。
０：不快な臭いを全く感じない
１：不快な臭いをわずかに感じる強さ
２：不快さを容易に感じる弱い臭い
３：不快さを明らかに感じる臭い
４：強い臭い
５：耐えられないほど強い臭い
以上の評価点の平均値として２未満であれば、消臭性について効果があると判断した。結果を表１に示す。
【００５１】
【表１】
2009153788.tif 000007
【００５２】
表１から、比較例１及び２の組成物は、着用肌着に対する消臭性能が不十分であるのに対し、実施例１〜３の消臭剤組成物は、着用肌着に対する消臭性能が高いことが分かる。なお、（ｂ）成分が抗菌作用を持つことは知られているが、この実施例、比較例の結果に示されるように、本発明の（ｂ）成分に（ａ）成分、（ｃ）成分および水を併用することにより、こうした消臭効果の持続性が向上するのは、当業者の予期せぬところである。